(57)【特許請求の範囲】
【請求項１】
クランク軸の偏心部とピストンを連結して回転運動を往復スライディング運動に変換させるための密閉型往復動式圧縮機のコネクティング装置であって、ボールと；前記ピストンに結びついたピストンピンが結びつく小径部と；前記小径部から延びて前記ボールが動き自在に接触支持されるボール収容溝が作られた連結部を有する第1コネクティング部材と；前記偏心部に回転自在に結びつく大径部を有して、前記大径部の外側に所定形状で延長されて前記ボール収容溝に収容されたボールを接触支持してそのボールの離脱を防止するヨーク部を有する第2コネクティング部材と；前記ボールを間に置いて第1コネクティング部材と前記第2コネクティング部材が相互動き自在に連結するように前記第1コネクティング部材の連結部と前記第2コネクティング部材を締結させる締結部材と；を含むことを特徴とする密閉型往復動式圧縮機のコネクティング装置。
【請求項２】
前記ボール収容溝は、前記連結部の端部に上面及び先端面から所定深さで引入形成されたことを特徴とする請求項1に記載の密閉型往復動式圧縮機のコネクティング装置。
【請求項３】
前記ヨーク部は、前記ボール収容溝に対向するように前記大径部の外側から延びて、前記ボールが接触されるように上下方向を基準に垂直面と傾斜面を有して、前記垂直面と傾斜面は左右方向に円弧状で形成されたことを特徴とする請求項2に記載の密閉型往復動式圧縮機のコネクティング装置。
【請求項４】
前記第1及び第2コネクティング部材の結合時、前記連結部の先端と前記大径部の外側との間には所定の流動ギャップが作られて相互間の動きが可能なことを特徴とする請求項1に記載の密閉型往復動式圧縮機のコネクティング装置。
【請求項５】
前記流動ギャップは、0.2〜0.5mmであることを特徴とする請求項4に記載の密閉型往復動式圧縮機のコネクティング装置。
【請求項６】
前記締結部材は、前記大径部と前記連結部を同時に覆いかぶせてクランピングするように所定形状で形成された金属ワイヤーであることを特徴とする請求項1に記載の密閉型往復動式圧縮機のコネクティング装置。
【請求項７】
前記第1コネクティング部材は、前記連結部の上面に引入されるように形成されて前記小径部に連結するオイル経路を有して、前記第2コネクティング部材のヨーク部から落下するオイルが前記オイル経路を通じ前記小径部に供給されることを特徴とする請求項1に記載の密閉型往復動式圧縮機のコネクティング装置。
【発明の詳細な説明】
【０００１】
【発明の属する技術分野】
本発明は、密閉型往復動式圧縮機に関し、より詳細にはクランク軸とピストンを連結する密閉型往復動式圧縮機のコネクティングロッド装置に関する。
【０００２】
【従来の技術】
一般的に、密閉型圧縮機はステータとそのステータの周辺に回転自在に設置されるローターを有するモーター部と、クランク軸と、コネクティングロッドと、ピストンなどを含んで構成される。前記クランク軸は、ローターに結びついて一体で回転され、下部には偏心部を有する。前記偏心部には、前記コネクティングロッドの一端に作られた大径部が連結する。前記コネクティングロッドの他側に作られた小径部には前記ピストンが連結する。前記ピストンは、シリンダーのピストン室内で直線往復移動する。
【０００３】
前記構成で、クランク軸は、ローターの駆動により共に回転されて偏心部が回転されるようになる。前記コネクティングロッドは、偏心部の偏心回転を直線運動に変換してピストンを直線で往復移動させる。
【０００４】
一方、前記構成を有する密閉型圧縮機において、前記クランク軸の軸芯はコネクティングロッドとの交差時90度角度を成していて、その角度は機構的に非常に重要な設計上の要素で知られている。したがって、関連部品には形状公差などを記載することが一般的である。
【０００５】
また、ピストンは、シリンダーのピストン室内で適正クリアランスを維持しながらスライディング運動をするものの、クランク軸の軸芯を基準に平行度及び対称度が変わらないで一定に維持されるべきである。
【０００６】
また、ピストンはピストンピンとの直角度を成して、コネクティングロッドの場合各大内径及び小内径間の対称度及び平行度の正確度などが重要な要素である。
【０００７】
以上で説明したように、コネクティングロッドを基準にした多様な機構的な結合関係、すなわち、クランク軸の軸芯に対するコネクティングロッドの整列は、圧縮機の駆動能力において大きい影響を及ぼす要素である。したがって、前記のようなクランク軸の軸芯に対するコネクティングロッドの整列が外れたり不安定な場合、各機構の間の摩擦及び摩耗がひどく発生して正常に駆動できない問題点がある。特に、クランク軸とピストンとの機構的な整列がなされない場合、その問題点が深刻化されうる。このような問題点を勘案してシャフト軸芯とピストン軸芯間のミスアライメントを補償できる装置が開示されたことがある。すなわち、米国特許USP6.164.188を参考すれば、一端にシリンダーが結びついて他端に円形の凹部が形成されたピストンロードと、一端に前記凹部に対応される凹部が形成されてピストンロードとボルトで固定結合されるアライメントアダプタと、前記二つの凹部間に介在されるボール及びアライメントアダプタとクランプにより固定結びつく拡張ロードを含んだ構成が開示されている。このような構成によれば、前記ボールを間に置いてピストンロードとアライメントアダプタ間にボールを介在させることによって、自由な流動性を確保してミスアライメントを効果的に補償できる。しかし、前記ボールを介在させるためにアライメントアダプタとクランプなどの部品が追加で必要なので、部品が多く、構成が複雑で生産性が低下する問題点がある。
【０００８】
また、米国特許USP4.407.168では、一端にピストンピンが挿入される小端部が形成されて他端に結合溝が形成されたフォーク部が一体に備わったコネクティングロッド本体と、前記結合溝に結びつく突起が左右一対で形成されてクランクピンが挿入される挿入孔が備わったブッシュと、前記本体とブッシュを結合固定させる弾性クリップを含んだ構成が開示されている。しかし、この場合には、コネクティングロッド本体とブッシュが弾性クリップにより結びついた状態であるから、流動性に限界があって摩耗及び摩擦による騷音が多量発生される問題点がある。
【０００９】
【発明が解決しようとする課題】
本発明は、前記のような問題点を解決するために案出されたもので、構造が単純で、摩耗及び騷音を減らすように改善された密閉型往復動式圧縮機のコネクティングロッド装置を提供することにその目的がある。
【００１０】
【課題を解決するための手段】
前記目的を達成するための本発明に係る密閉型往復動式圧縮機のコネクティングロッド装置は、クランク軸の偏心部とピストンを連結して回転運動を往復スライディング運動に変換させるための密閉型往復動式圧縮機のコネクティング装置であって、ボールと；前記ピストンに結びついたピストンピンが結びつく小径部と；前記小径部から延びて前記ボールが動き自在に接触支持されるボール収容溝がつくられた連結部を有する第1コネクティング部材と；前記偏心部に回転自在に結びつく大径部を有して、前記大径部の外側に所定形状に延長されて前記ボール収容溝に収容されたボールを接触支持し、そのボールの離脱を防止するヨーク部を有する第2コネクティング部材と；前記ボールを間に置いて第1コネクティング部材と前記第2コネクティング部材が相互動き自在に連結するように前記第1コネクティング部材の連結部と前記第2コネクティング部材を締結させる締結部材と；を含むことを特徴とする。
【００１１】
ここで、前記ボール収容溝は、前記連結部の端部に上面及び先断面から所定深さで引入形成されたことを特徴とする。
【００１２】
また、前記ヨーク部は、前記ボール収容溝に対向するように前記大径部の外側から延びて、前記ボールが接触されるように上下方向を基準に垂直面と傾斜面を有して、前記垂直面と傾斜面は左右方向に円弧状で形成されたことを特徴とする。
【００１３】
また、前記第1及び第2コネクティング部材の結合時、前記連結部の先端と前記大径部の外側間には所定流動ギャップが作られて相互間の動きが自在なことを特徴とする。
【００１４】
また、前記流動ギャップは、0.2〜0.5mmであることを特徴とする。
【００１５】
また、前記締結部材は、前記大径部と前記連結部を同時に覆いかぶせてクランピングするように所定形状で形成された金属ワイヤーであることを特徴とする。また、前記第1コネクティング部材は、前記連結部の上面に引入されるように形成されて前記小径部に連結するオイル経路を有して、前記第2コネクティング部材のヨーク部から落下するオイルが前記オイル経路を通じ前記小径部に供給されることを特徴とする。
【００１６】
【発明の実施の形態】
以下、添付された図面を参照して、本発明の実施例に係る密閉型往復動式圧縮機のコネクティング装置を詳細に説明する。
【００１７】
図1及び図2を参照すれば、本発明の実施例に係る密閉型往復動式圧縮機のコネクティング装置は、第1コネクティング部材20と、第2コネクティング部材30と、ボール40及び締結部材50とを具備する。
【００１８】
第1コネクティング部材20は、一端部にピストンピン11が結びつく小径部21を有する。小径部21の外側に連結部23が所定長さで延長形成される。この連結部23の上面にはオイル経路23aが所定深さで形成される。このオイル経路23aは小径部21と連結する。また、連結部23の先端にはボール収容溝25が形成される。
【００１９】
図3を参照するに、ボール収容溝25は、連結部23の端部に上面及び先端面から所定深さで引入形成される。そして、そのボール収容溝25は、ボール40との円滑な接触のためにラウンド型の内面を有することが好ましい。また、連結部23の端部には締結部材50が締結される。連結部23の端部には、締結部材50の両先端がかかるように一対の掛顎23bが作られる。
【００２０】
第2コネクティング部材30は、圧縮機のクランクシャフト6の端部に作られる偏心部6aに連結する大径部31を有する。大径部31の外側には、第1コネクティング部材20と結合時、ボール収容溝25に収容されたボール40を接触支持するヨーク部33が形成される。ヨーク部33は、ボール収容溝25に収容されたボール40が離脱されることを防止して、ボール40が転がり運動自在に接触される。このようなヨーク部33は、ボール40が接触される上下方向への垂直面33aと傾斜面33bを有する。
【００２１】
そして、垂直面33aと傾斜面33bは、図4に示されたように、水平方向にラウンド形で形成されてボール40との接触面積を広めることが好ましい。したがって、ボール40は、ヨーク部33とボール収容溝25各々に接触されて回転運動するによって、第1コネクティング部材20が第2コネクティング部材30に対して相対的に動けるように中間で媒介役割をする。ここで、ボール40は、金属材質で約2.54〜8.46mmの直径を有する。
【００２２】
また、ボール40を間に置いて第1及び第2コネクティング部材20、30が結合時、連結部23の先端と大径部31の外側間には所定流動ギャップGが発生されることが好ましい。この流動ギャップGは、0.2〜0.5mmであることが好ましい。この流動ギャップGが作られることで第1及び第2コネクティング部材20、30の相互間の流動時、互いに干渉しないで自然に動けるようになる。
【００２３】
締結部材50は、大径部31と連結部23の先端を同時に覆いかぶせてクランピングするように所定形状で形成された金属ワイヤーであることが好ましい。この金属ワイヤーは所定厚さを有して、その両先端は掛顎23bにかかるように結びつく。そして、大径部31の外側には締結部材50が支持される突出顎31aが作られる。締結部材50は、いわゆるワンタッチ式で、第1及び第2コネクティング部材20、30を結合させることによって、互いに分離されることを防止し、互いに動きを許すようになる。
【００２４】
前記のような構成を有する本発明の実施例に係る密閉型往復動式圧縮機のコネクティング装置は、クランクシャフト6の偏心部とピストンを連結時、第1及び第2コネクティング部材20、30の結合により連結する。この時、各コネクティング部材20、30間に設置されるボール40により各コネクティング部材20、30が所定範囲内で動くようになる。特に、各コネクティング部材20、30がボール40により転がり接触をしながら動くので摩耗が少なくなり、摩擦による騷音発生も顕著に減らしながら流動性を有することができる。
【００２５】
また、組立公差や製造公差によりシャフト6の軸芯とピストン軸芯間にミスアライメントが発生されても、コネクティング部材20、30の動きにより十分に補償できるようになる。
【００２６】
【発明の効果】
以上で説明したように、本発明に係る密閉型往復動式圧縮機のコネクティング装置によれば、シャフトの軸芯とピストン軸芯間の整列がずれた時、コネクティング部材の結合関係により流動が発生しながらこれを補償できるようになる。したがって、信頼性を高めることができ、騷音及び摩耗発生を減らすようになる。
【図面の簡単な説明】
【図１】本発明の実施例に係る密閉型往復動式圧縮機のコネクティング装置を示した概略的な斜視図である。
【図２】図1のII−II線による断面図である。
【図３】図1に示された第1コネクティング部材の斜視図である。
【図４】図1に示された第2コネクティング部材の斜視図である。
【符号の説明】
６      クランクシャフト
６ａ    偏心部
１１    ピストンピン
２０    第１コネクティング部材
２１    小径部
２３    連結部
２３ａ  オイル経路
２３ｂ  掛顎
２５    ボール収容溝
３０    第２コネクティング部材
３１    大径部
３１ａ  突出顎
３３    ヨーク部
３３ａ  垂直面
３３ｂ  傾斜面
４０    ボール
５０    締結部材
【図１】
0003701926.tif 000002
【図２】
0003701926.tif 000003
【図３】
0003701926.tif 000004
【図４】
0003701926.tif 000005